【手続補正書】
【提出日】平成28年3月17日(2016.3.17)
【手続補正１】
【補正対象書類名】特許請求の範囲
【補正対象項目名】全文
【補正方法】変更
【補正の内容】
【特許請求の範囲】
【請求項１】
ワイヤレス通信の方法であって、
２の値を有する単一のスクランブリング識別子（ＩＤ）に少なくとも部分的に基づいて復調用基準信号（ＤＭ−ＲＳ）を生成することと、
０または１の値を有する単一のスクランブリングＩＤに少なくとも部分的に基づいて、ユーザ機器固有基準信号（ＵＥ−ＲＳ）を生成することと、前記ＤＭ−ＲＳについての前記単一のスクランブリングＩＤの前記値は、前記ＤＭ−ＲＳが前記ＵＥ−ＲＳと区別可能であるように、前記ＵＥ−ＲＳの前記単一のスクランブリングＩＤの前記値とは異なる、
サブフレームの少なくとも１つのデータ領域から選択されるリソースを使用する拡張制御チャネルのために前記ＤＭ−ＲＳを送信することと、
前記データ領域から選択されるリソースを使用するデータチャネルのために前記ＵＥ−ＲＳを送信することと
を備える方法。
【請求項２】
前記拡張制御チャネルは、拡張物理ダウンリンク制御チャネル（ＥＰＤＣＣＨ）を備え、前記データチャネルは、物理ダウンリンク共有チャネル（ＰＤＳＣＨ）を備える、請求項１に記載の方法。
【請求項３】
前記ＤＭ−ＲＳは、また、前記ＵＥ−ＲＳのセル識別子とは別々に設定されるセル識別子に少なくとも部分的に基づく、請求項１に記載の方法。
【請求項４】
前記セル識別子は、物理セル識別子（ＰＣＩ）を備える、請求項３に記載の方法。
【請求項５】
前記セル識別子は、仮想セル識別子を備える、請求項３に記載の方法。
【請求項６】
ワイヤレス通信の方法であって、
基準信号を受信することと、
前記基準信号が、拡張制御チャネルに関連付けられた復調用基準信号（ＤＭ−ＲＳ）であるか、データチャネルに関連付けられたユーザ機器固有基準信号（ＵＥ−ＲＳ）であるかを、単一のスクランブリング識別子（ＩＤ）の値に少なくとも部分的に基づいて判断することと、前記拡張制御チャネルはサブフレームの少なくとも１つのデータ領域から選択されるリソースを使用し、および前記データチャネルは前記データ領域から選択されるリソースを使用し、前記基準信号は、前記単一のスクランブリングＩＤの前記値が２である時、前記ＤＭ−ＲＳであり、前記基準信号は、前記単一のスクランブリングＩＤの前記値が０または１の時、前記ＵＥ−ＲＳであり、前記ＤＭ−ＲＳについての前記単一のスクランブリングＩＤの前記値は、前記ＤＭ−ＲＳが前記ＵＥ−ＲＳと区別可能であるように、前記ＵＥ−ＲＳの前記単一のスクランブリングＩＤの前記値とは異なる、
を備える方法。
【請求項７】
前記拡張制御チャネルは、拡張物理ダウンリンク制御チャネル（ＥＰＤＣＣＨ）を備え、前記データチャネルは、物理ダウンリンク共有チャネル（ＰＤＳＣＨ）を備える、請求項６に記載の方法。
【請求項８】
前記基準信号は、前記拡張制御チャネルおよび前記データチャネルに共通したセル識別子にさらに基づく、請求項６に記載の方法。
【請求項９】
前記基準信号は、
前記拡張制御チャネルについての第１のセル識別子と、
前記データチャネルについての第２のセル識別子と
にさらに基づき、前記第２のセル識別子は、前記第１のセル識別子とは別々に設定される、請求項６に記載の方法。
【請求項１０】
前記基準信号は、物理リソースブロック（ＰＲＢ）内で受信される、請求項６に記載の方法。
【請求項１１】
ワイヤレス通信の方法であって、
セルから基準信号を受信することと、
前記基準信号に関連付けられたチャネルが、前記基準信号が復調用基準信号（ＤＭ−ＲＳ）であるような拡張制御チャネルであるのか、または前記基準信号がユーザ機器固有基準信号（ＵＥ−ＲＳ）であるようなデータチャネルであるのか、を判断することと、前記拡張制御チャネルはサブフレームの少なくとも１つのデータ領域から選択されるリソースを使用し、および前記データチャネルは前記データ領域から選択されるリソースを使用する、
前記判断されたチャネルに基づいて前記基準信号についての単一のスクランブリング識別子（ＩＤ）の値を判断することと、前記値は前記ＤＭ−ＲＳについては２であり、前記値は前記ＵＥ−ＲＳについては０または１であり、前記ＤＭ−ＲＳについての前記単一のスクランブリングＩＤの前記値は、前記ＤＭ−ＲＳが前記ＵＥ−ＲＳと区別可能であるように、前記ＵＥ−ＲＳの前記単一のスクランブリングＩＤの前記値とは異なる、
前記判断された値に少なくとも部分的に基づいて、前記判断されたチャネルを処理することと
を備える方法。
【請求項１２】
前記拡張制御チャネルは、拡張物理ダウンリンク制御チャネル（ＥＰＤＣＣＨ）を備え、前記データチャネルは、物理ダウンリンク共有チャネル（ＰＤＳＣＨ）を備える、請求項１１に記載の方法。
【請求項１３】
前記基準信号は、セル識別子にさらに基づき、前記セル識別子は、前記ＵＥ−ＲＳおよび前記ＤＭ−ＲＳについて別々に設定される、請求項１１に記載の方法。
【請求項１４】
前記セル識別子は、物理セル識別子（ＰＣＩ）を備える、請求項１３に記載の方法。
【請求項１５】
前記セル識別子は、仮想セル識別子を備える、請求項１３に記載の方法。
【請求項１６】
前記基準信号は、物理リソースブロック（ＰＲＢ）内で受信される、請求項１１に記載の方法。
【請求項１７】
ワイヤレス通信のための装置であって、
メモリと、
前記メモリに結合された少なくとも１つのプロセッサと
を備え、前記少なくとも１つのプロセッサは、
２の値を有する単一のスクランブリング識別子（ＩＤ）に少なくとも部分的に基づいて復調用基準信号（ＤＭ−ＲＳ）を生成することと、
０または１の値を有する単一のスクランブリングＩＤに少なくとも部分的に基づいて、ユーザ機器固有基準信号（ＵＥ−ＲＳ）を生成することと、前記ＤＭ−ＲＳについての前記単一のスクランブリングＩＤの前記値は、前記ＤＭ−ＲＳが前記ＵＥ−ＲＳと区別可能であるように、前記ＵＥ−ＲＳの前記単一のスクランブリングＩＤの前記値とは異なる、
サブフレームの少なくとも１つのデータ領域から選択されるリソースを使用する拡張制御チャネルのために前記ＤＭ−ＲＳを送信することと、
前記データ領域から選択されるリソースを使用するデータチャネルのために前記ＵＥ−ＲＳを送信することと
を行うように構成される、装置。
【請求項１８】
前記拡張制御チャネルは、拡張物理ダウンリンク制御チャネル（ＥＰＤＣＣＨ）を備え、前記データチャネルは、物理ダウンリンク共有チャネル（ＰＤＳＣＨ）を備える、請求項１７に記載の装置。
【請求項１９】
前記ＤＭ−ＲＳは、前記ＵＥ−ＲＳのセル識別子とは別々に設定されるセル識別子にさらに基づく、請求項１７に記載の装置。
【請求項２０】
前記セル識別子は、物理セル識別子（ＰＣＩ）を備える、請求項１９に記載の装置。
【請求項２１】
前記セル識別子は、仮想セル識別子を備える、請求項１９に記載の装置。
【請求項２２】
ワイヤレス通信のための装置であって、
メモリと、
前記メモリに結合された少なくとも１つのプロセッサと
を備え、前記少なくとも１つのプロセッサは、
基準信号を受信することと、
前記基準信号が、拡張制御チャネルに関連付けられた復調用基準信号（ＤＭ−ＲＳ）であるか、データチャネルに関連付けられたユーザ機器固有基準信号（ＵＥ−ＲＳ）であるかを、単一のスクランブリング識別子（ＩＤ）の値に少なくとも部分的に基づいて判断することと、前記拡張制御チャネルはサブフレームの少なくとも１つのデータ領域から選択されるリソースを使用し、および前記データチャネルは前記データ領域から選択されるリソースを使用し、前記基準信号は、前記単一のスクランブリングＩＤの前記値が２である時、前記ＤＭ−ＲＳであり、前記基準信号は、前記単一のスクランブリングＩＤの前記値が０または１の時、前記ＵＥ−ＲＳであり、前記ＤＭ−ＲＳについての前記単一のスクランブリングＩＤの前記値は、前記ＤＭ−ＲＳが前記ＵＥ−ＲＳと区別可能であるように、前記ＵＥ−ＲＳの前記単一のスクランブリングＩＤの前記値とは異なる、
を行うように構成される、装置。
【請求項２３】
前記基準信号は、復調用基準信号（ＤＭ−ＲＳ）を備える、請求項２２に記載の装置。
【請求項２４】
前記拡張制御チャネルは、拡張物理ダウンリンク制御チャネル（ＥＰＤＣＣＨ）を備え、前記データチャネルは、物理ダウンリンク共有チャネル（ＰＤＳＣＨ）を備える、請求項２２に記載の装置。
【請求項２５】
前記基準信号は、前記拡張制御チャネルおよび前記データチャネルに共通したセル識別子にさらに基づく、請求項２２に記載の装置。
【請求項２６】
前記基準信号は、
前記拡張制御チャネルについての第１のセル識別子と、
前記データチャネルについての第２のセル識別子と、
にさらに基づき、前記第２のセル識別子は、前記第１のセル識別子とは別々に設定される、請求項２２に記載の装置。
【請求項２７】
前記基準信号は、物理リソースブロック（ＰＲＢ）内で受信される、請求項２２に記載の装置。
【請求項２８】
ワイヤレス通信のための装置であって、
メモリと、
前記メモリに結合された少なくとも１つのプロセッサと
を備え、前記少なくとも１つのプロセッサは、
セルから基準信号を受信することと、
前記基準信号に関連付けられたチャネルが、前記基準信号が復調用基準信号（ＤＭ−ＲＳ）であるような拡張制御チャネルであるのか、または前記基準信号がユーザ機器固有基準信号（ＵＥ−ＲＳ）であるようなデータチャネルであるのか、を判断することと、前記拡張制御チャネルはサブフレームの少なくとも１つのデータ領域から選択されるリソースを使用し、および前記データチャネルは前記データ領域から選択されるリソースを使用する、
前記判断されたチャネルに基づいて前記基準信号についての単一のスクランブリング識別子（ＩＤ）の値を判断することと、前記値は前記ＤＭ−ＲＳについては２であり、前記値は前記ＵＥ−ＲＳについては０または１であり、前記ＤＭ−ＲＳについての前記単一のスクランブリングＩＤの前記値は、前記ＤＭ−ＲＳが前記ＵＥ−ＲＳと区別可能であるように、前記ＵＥ−ＲＳの前記単一のスクランブリングＩＤの前記値とは異なる、
前記判断されたスクランブリングＩＤの値に少なくとも部分的に基づいて、前記判断されたチャネルを処理することと
を行うように構成される、装置。
【請求項２９】
前記拡張制御チャネルは、拡張物理ダウンリンク制御チャネル（ＥＰＤＣＣＨ）を備え、前記データチャネルは、物理ダウンリンク共有チャネル（ＰＤＳＣＨ）を備える、請求項２８に記載の装置。
【請求項３０】
前記基準信号は、セル識別子にさらに基づき、前記セル識別子は、前記ＵＥ−ＲＳおよび前記ＤＭ−ＲＳについて別々に設定される、請求項２８に記載の装置。
【請求項３１】
前記セル識別子は、物理セル識別子（ＰＣＩ）を備える、請求項３０に記載の装置。
【請求項３２】
前記セル識別子は、仮想セル識別子を備える、請求項３０に記載の装置。
【請求項３３】
前記基準信号は、物理リソースブロック（ＰＲＢ）内で受信されることを備える、請求項２８に記載の装置。
【請求項３４】
ワイヤレス通信のための装置であって、
２の値を有する単一のスクランブリング識別子（ＩＤ）に少なくとも部分的に基づいて復調用基準信号（ＤＭ−ＲＳ）を生成するための手段と、
０または１の値を有する単一のスクランブリングＩＤに少なくとも部分的に基づいて、ユーザ機器固有基準信号（ＵＥ−ＲＳ）を生成するための手段と、前記ＤＭ−ＲＳについての前記単一のスクランブリングＩＤの前記値は、前記ＤＭ−ＲＳが前記ＵＥ−ＲＳと区別可能であるように、前記ＵＥ−ＲＳの前記単一のスクランブリングＩＤの前記値とは異なる、
サブフレームの少なくとも１つのデータ領域から選択されるリソースを使用する拡張制御チャネルのために前記ＤＭ−ＲＳを送信するための手段と、
前記データ領域から選択されるリソースを使用するデータチャネルのために前記ＵＥ−ＲＳを送信するための手段と
を備える装置。
【請求項３５】
ワイヤレス通信のための装置であって、
基準信号を受信するための手段と、
前記基準信号が、拡張制御チャネルに関連付けられた復調用基準信号（ＤＭ−ＲＳ）であるか、データチャネルに関連付けられたユーザ機器固有基準信号（ＵＥ−ＲＳ）であるかを、単一のスクランブリング識別子（ＩＤ）の値に少なくとも部分的に基づいて判断するための手段と、前記拡張制御チャネルはサブフレームの少なくとも１つのデータ領域から選択されるリソースを使用し、および前記データチャネルは前記データ領域から選択されるリソースを使用し、前記基準信号は、前記単一のスクランブリングＩＤの前記値が２である時、前記ＤＭ−ＲＳであり、前記基準信号は、前記単一のスクランブリングＩＤの前記値が０または１の時、前記ＵＥ−ＲＳであり、前記ＤＭ−ＲＳについての前記単一のスクランブリングＩＤの前記値は、前記ＤＭ−ＲＳが前記ＵＥ−ＲＳと区別可能であるように、前記ＵＥ−ＲＳの前記単一のスクランブリングＩＤの前記値とは異なる、
を備える装置。
【請求項３６】
ワイヤレス通信のための装置であって、
セルから基準信号を受信するための手段と、
前記基準信号に関連付けられたチャネルが、前記基準信号が復調用基準信号（ＤＭ−ＲＳ）であるような拡張制御チャネルであるのか、または前記基準信号がユーザ機器固有基準信号（ＵＥ−ＲＳ）であるようなデータチャネルであるのか、を判断するための手段と、前記拡張制御チャネルはサブフレームの少なくとも１つのデータ領域から選択されるリソースを使用し、および前記データチャネルは前記データ領域から選択されるリソースを使用する、
前記基準信号についての単一のスクランブリング識別子（ＩＤ）の値を、前記判断されたチャネルに基づいて判断するための手段と、前記値は前記ＤＭ−ＲＳについては２であり、前記値は前記ＵＥ−ＲＳについては０または１であり、前記ＤＭ−ＲＳについての前記単一のスクランブリングＩＤの前記値は、前記ＤＭ−ＲＳが前記ＵＥ−ＲＳと区別可能であるように、前記ＵＥ−ＲＳの前記単一のスクランブリングＩＤの前記値とは異なる、
前記単一のスクランブリングＩＤの判断された前記値に少なくとも部分的に基づいて、前記判断されたチャネルを処理するための手段と
を備える装置。
【請求項３７】
記録されたプログラムコードを有する非一時的コンピュータ可読媒体であって、前記プログラムコードは、
２の値を有する単一のスクランブリング識別子（ＩＤ）に少なくとも部分的に基づいて復調用基準信号（ＤＭ−ＲＳ）を生成するためのプログラムコードと、
０または１の値を有する単一のスクランブリングＩＤに少なくとも部分的に基づいて、ユーザ機器固有基準信号（ＵＥ−ＲＳ）を生成するためのプログラムコードと、前記ＤＭ−ＲＳについての前記単一のスクランブリングＩＤの前記値は、前記ＤＭ−ＲＳが前記ＵＥ−ＲＳと区別可能であるように、前記ＵＥ−ＲＳの前記単一のスクランブリングＩＤの前記値とは異なる、
サブフレームの少なくとも１つのデータ領域から選択されるリソースを使用する拡張制御チャネルのために前記ＤＭ−ＲＳを送信するためのプログラムコードと、
前記データ領域から選択されるリソースを使用するデータチャネルのために前記ＵＥ−ＲＳを送信するためのプログラムコードと
を備える、非一時的コンピュータ可読媒体。
【請求項３８】
記録されたプログラムコードを有する非一時的コンピュータ可読媒体であって、前記プログラムコードは、
基準信号を受信するためのプログラムコードと、
前記基準信号が、拡張制御チャネルに関連付けられた復調用基準信号（ＤＭ−ＲＳ）であるか、データチャネルに関連付けられたユーザ機器固有基準信号（ＵＥ−ＲＳ）であるかを、単一のスクランブリング識別子（ＩＤ）の値に少なくとも部分的に基づいて判断するためのプログラムコードと、前記拡張制御チャネルはサブフレームの少なくとも１つのデータ領域から選択されるリソースを使用し、および前記データチャネルは前記データ領域から選択されるリソースを使用し、前記基準信号は、前記単一のスクランブリングＩＤの前記値が２である時、前記ＤＭ−ＲＳであり、前記基準信号は、前記単一のスクランブリングＩＤの前記値が０または１の時、前記ＵＥ−ＲＳであり、前記ＤＭ−ＲＳについての前記単一のスクランブリングＩＤの前記値は、前記ＤＭ−ＲＳが前記ＵＥ−ＲＳと区別可能であるように、前記ＵＥ−ＲＳの前記単一のスクランブリングＩＤの前記値とは異なる、
を備える、非一時的コンピュータ可読媒体。
【請求項３９】
記録されたプログラムコードを有する非一時的コンピュータ可読媒体であって、前記プログラムコードは、
セルから基準信号を受信するためのプログラムコードと、
前記基準信号に関連付けられたチャネルが、前記基準信号が復調用基準信号（ＤＭ−ＲＳ）であるような拡張制御チャネルであるのか、または前記基準信号がユーザ機器固有基準信号（ＵＥ−ＲＳ）であるようなデータチャネルであるのか、を判断するためのプログラムコードと、前記拡張制御チャネルはサブフレームの少なくとも１つのデータ領域から選択されるリソースを使用し、および前記データチャネルは前記データ領域から選択されるリソースを使用する、
前記基準信号についての単一のスクランブリング識別子（ＩＤ）の値を、前記判断されたチャネルに基づいて判断するためのプログラムコードと、前記値は前記ＤＭ−ＲＳについては２であり、前記値は前記ＵＥ−ＲＳについては０または１であり、前記ＤＭ−ＲＳについての前記単一のスクランブリングＩＤの前記値は、前記ＤＭ−ＲＳが前記ＵＥ−ＲＳと区別可能であるように、前記ＵＥ−ＲＳの前記単一のスクランブリングＩＤの前記値とは異なる、
前記判断されたスクランブリングＩＤの値に少なくとも部分的に基づいて、前記判断されたチャネルを処理するためのプログラムコードと
を備える、非一時的コンピュータ可読媒体。
【手続補正２】
【補正対象書類名】明細書
【補正対象項目名】００９２
【補正方法】変更
【補正の内容】
【００９２】
[0101]  本開示の先の説明は、当業者が本開示を実行または使用することを可能にするために提供される。本開示に対する様々な改良は、当業者には容易に明らかであり、本明細書で定義された包括的な原理は、本開示の精神または範囲から逸脱せずに、他の変形に適用されうる。したがって、本開示は、本明細書で説明された例および設計に限定されることを意図しておらず、本明細書に開示された原理および新規な特徴と合致する最も広い範囲が与えられるべきである。
以下に本願の出願当初の特許請求の範囲に記載された発明を付記する。
[Ｃ１]  ワイヤレス通信の方法であって、
第１のスクランブリング識別子（ＩＤ）に少なくとも部分的に基づいて第１の基準信号を生成することと、
前記第１のスクランブリングＩＤとは異なる第２のスクランブリングＩＤに少なくとも部分的に基づいて第２の基準信号を生成することと、
制御チャネルのために前記第１の基準信号を送信することと、
データチャネルのために前記第２の基準信号を送信することと
を備える方法。
[Ｃ２]  前記第１のスクランブリングＩＤは２の値を有し、前記第２のスクランブリングＩＤは０または１の値を有する、Ｃ１に記載の方法。
[Ｃ３]  前記第１の基準信号は、復調用基準信号（ＤＭ−ＲＳ）を備える、Ｃ１に記載の方法。
[Ｃ４]  前記制御チャネルは、拡張物理ダウンリンク制御チャネル（ＥＰＤＣＣＨ）を備え、前記データチャネルは、物理ダウンリンク共有チャネル（ＰＤＳＣＨ）を備える、Ｃ１に記載の方法。
[Ｃ５]  前記第１の基準信号は、また、セル識別子に少なくとも部分的に基づく、Ｃ１に記載の方法。
[Ｃ６]  前記セル識別子は、物理セル識別子（ＰＣＩ）を備える、Ｃ５に記載の方法。
[Ｃ７]  前記セル識別子は、仮想セル識別子を備える、Ｃ５に記載の方法。
[Ｃ８]  ワイヤレス通信の方法であって、
基準信号を受信することと、
前記基準信号が、制御チャネルに関連付けられているかデータチャネルに関連付けられているかを、スクランブリング識別子（ＩＤ）に少なくとも部分的に基づいて判断することと
を備える方法。
[Ｃ９]  前記基準信号は、復調用基準信号（ＤＭ−ＲＳ）を備える、Ｃ８に記載の方法。
[Ｃ１０]  前記制御チャネルは、拡張物理ダウンリンク制御チャネル（ＥＰＤＣＣＨ）を備え、前記データチャネルは、物理ダウンリンク共有チャネル（ＰＤＳＣＨ）を備える、Ｃ８に記載の方法。
[Ｃ１１]  前記スクランブリングＩＤが２の値を有するとき、前記基準信号は前記制御チャネルに関連付けられていると判断され、スクランブリングＩＤが０または１の値を有するとき、前記基準信号は前記データチャネルに関連付けられていると判断される、Ｃ８に記載の方法。
[Ｃ１２]  前記基準信号は、前記制御チャネルおよび前記データチャネルに共通したセル識別子にさらに基づく、Ｃ８に記載の方法。
[Ｃ１３]  前記基準信号は、
前記制御チャネルについての第１のセル識別子と、
前記データチャネルについての第２のセル識別子と
にさらに基づき、前記第２のセル識別子は、前記第１のセル識別子とは異なる、Ｃ８に記載の方法。
[Ｃ１４]  前記基準信号は、物理リソースブロック（ＰＲＢ）内で受信される、Ｃ８に記載の方法。
[Ｃ１５]  ワイヤレス通信の方法であって、
セルから基準信号を受信することと、
前記基準信号に関連付けられたチャネルを判断することと、ここで、前記チャネルは、制御チャネルまたはデータチャネルである、
前記判断されたチャネルに基づいて前記基準信号についてのスクランブリング識別子（ＩＤ）を判断することと、
前記判断されたスクランブリングＩＤに少なくとも部分的に基づいて前記判断されたチャネルを処理することと
を備える方法。
[Ｃ１６]  前記制御チャネルについて、前記スクランブリングＩＤは２の値を有し、
前記データチャネルについて、前記スクランブリングＩＤは０または１の値を有する、
Ｃ１５に記載の方法。
[Ｃ１７]  前記基準信号は、復調用基準信号（ＤＭ−ＲＳ）を備える、Ｃ１５に記載の方法。
[Ｃ１８]  前記制御チャネルは、拡張物理ダウンリンク制御チャネル（ＥＰＤＣＣＨ）を備え、前記データチャネルは、物理ダウンリンク共有チャネル（ＰＤＳＣＨ）を備える、Ｃ１５に記載の方法。
[Ｃ１９]  前記基準信号は、セル識別子にさらに基づく、Ｃ１５に記載の方法。
[Ｃ２０]  前記セル識別子は、物理セル識別子（ＰＣＩ）を備える、Ｃ１９に記載の方法。
[Ｃ２１]  前記セル識別子は、仮想セル識別子を備える、Ｃ１９に記載の方法。
[Ｃ２２]  前記基準信号は、物理リソースブロック（ＰＲＢ）内で受信される、Ｃ１５に記載の方法。
[Ｃ２３]  ワイヤレス通信のための装置であって、
メモリと、
前記メモリに結合された少なくとも１つのプロセッサと
を備え、前記少なくとも１つのプロセッサは、
第１のスクランブリング識別子（ＩＤ）に少なくとも部分的に基づいて第１の基準信号を生成することと、
前記第１のスクランブリングＩＤとは異なる第２のスクランブリングＩＤに少なくとも部分的に基づいて第２の基準信号を生成することと、
制御チャネルのために前記第１の基準信号を送信することと、
データチャネルのために前記第２の基準信号を送信することと
を行うように構成される、装置。
[Ｃ２４]  前記第１のスクランブリングＩＤは２の値を有し、
前記第２のスクランブリングＩＤは０または１の値を有する、
Ｃ２３に記載の装置。
[Ｃ２５]  前記第１の基準信号は、復調用基準信号（ＤＭ−ＲＳ）を備える、Ｃ２３に記載の装置。
[Ｃ２６]  前記制御チャネルは、拡張物理ダウンリンク制御チャネル（ＥＰＤＣＣＨ）を備え、前記データチャネルは、物理ダウンリンク共有チャネル（ＰＤＳＣＨ）を備える、Ｃ２３に記載の装置。
[Ｃ２７]  前記第１の基準信号は、セル識別子にさらに基づく、Ｃ２３に記載の装置。
[Ｃ２８]  前記セル識別子は、物理セル識別子（ＰＣＩ）を備える、Ｃ２７に記載の装置。
[Ｃ２９]  前記セル識別子は、仮想セル識別子を備える、Ｃ２７に記載の装置。
[Ｃ３０]  ワイヤレス通信のための装置であって、
メモリと、
前記メモリに結合された少なくとも１つのプロセッサと
を備え、前記少なくとも１つのプロセッサは、
基準信号を受信することと、
前記基準信号が制御チャネルに関連付けられているかデータチャネルに関連付けられているかを、スクランブリング識別子（ＩＤ）に少なくとも部分的に基づいて判断することと
を行うように構成される、装置。
[Ｃ３１]  前記基準信号は、復調用基準信号（ＤＭ−ＲＳ）を備える、Ｃ３０に記載の装置。
[Ｃ３２]  前記制御チャネルは、拡張物理ダウンリンク制御チャネル（ＥＰＤＣＣＨ）を備え、前記データチャネルは、物理ダウンリンク共有チャネル（ＰＤＳＣＨ）を備える、Ｃ３０に記載の装置。
[Ｃ３３]  前記少なくとも１つのプロセッサはさらに、
前記スクランブリングＩＤが２の値を有するとき、前記基準信号は前記制御チャネルに関連付けられていると判断することと、
スクランブリングＩＤが０または１の値を有するとき、前記基準信号は前記データチャネルに関連付けられていると判断することと
を行うように構成される、Ｃ３０に記載の装置。
[Ｃ３４]  前記基準信号は、前記制御チャネルおよび前記データチャネルに共通したセル識別子にさらに基づく、Ｃ３０に記載の装置。
[Ｃ３５]  前記基準信号は、
前記制御チャネルについての第１のセル識別子と、
前記第１のセル識別子とは異なる、前記データチャネルについての第２のセル識別子と
にさらに基づく、Ｃ３０に記載の装置。
[Ｃ３６]  前記基準信号は、物理リソースブロック（ＰＲＢ）内で受信される、Ｃ３０に記載の装置。
[Ｃ３７]  ワイヤレス通信のための装置であって、
メモリと、
前記メモリに結合された少なくとも１つのプロセッサと
を備え、前記少なくとも１つのプロセッサは、
セルから基準信号を受信することと、
前記基準信号に関連付けられたチャネルを判断することと、ここで、前記チャネルは、制御チャネルまたはデータチャネルである、
前記判断されたチャネルに基づいて前記基準信号についてのスクランブリング識別子（ＩＤ）を判断することと、
前記判断されたスクランブリングＩＤに少なくとも部分的に基づいて前記判断されたチャネルを処理することと
を行うように構成される、装置。
[Ｃ３８]  前記制御チャネルについて、前記スクランブリングＩＤは２の値を有し、
前記データチャネルについて、前記スクランブリングＩＤは０または１の値を有する、
Ｃ３７に記載の装置。
[Ｃ３９]  前記基準信号は、復調用基準信号（ＤＭ−ＲＳ）を備える、Ｃ３７に記載の装置。
[Ｃ４０]  前記制御チャネルは、拡張物理ダウンリンク制御チャネル（ＥＰＤＣＣＨ）を備え、前記データチャネルは、物理ダウンリンク共有チャネル（ＰＤＳＣＨ）を備える、Ｃ３７に記載の装置。
[Ｃ４１]  前記基準信号は、セル識別子にさらに基づく、Ｃ３７に記載の装置。
[Ｃ４２]  前記セル識別子は、物理セル識別子（ＰＣＩ）を備える、Ｃ４１に記載の装置。
[Ｃ４３]  前記セル識別子は、仮想セル識別子を備える、Ｃ４１に記載の装置。
[Ｃ４４]  前記基準信号は、物理リソースブロック（ＰＲＢ）内で受信されることを備える、Ｃ３７に記載の装置。
[Ｃ４５]  ワイヤレス通信のための装置であって、
第１のスクランブリング識別子（ＩＤ）に少なくとも部分的に基づいて第１の基準信号を生成するための手段と、
前記第１のスクランブリングＩＤとは異なる第２のスクランブリングＩＤに少なくとも部分的に基づいて第２の基準信号を生成するための手段と、
制御チャネルのために前記第１の基準信号を送信するための手段と、
データチャネルのために前記第２の基準信号を送信するための手段と
を備える装置。
[Ｃ４６]  ワイヤレス通信のための装置であって、
基準信号を受信するための手段と、
前記基準信号が制御チャネルに関連付けられているかデータチャネルに関連付けられているかを、スクランブリング識別子（ＩＤ）に少なくとも部分的に基づいて判断するための手段と
を備える装置。
[Ｃ４７]  ワイヤレス通信のための装置であって、
セルから基準信号を受信するための手段と、
前記基準信号に関連付けられたチャネルを判断するための手段と、ここで、前記チャネルは、制御チャネルまたはデータチャネルである、
前記基準信号についてのスクランブリング識別子（ＩＤ）を、前記判断されたチャネルに基づいて判断するための手段と、
前記判断されたスクランブリングＩＤに少なくとも部分的に基づいて、前記判断されたチャネルを処理するための手段と
を備える装置。
[Ｃ４８]  ワイヤレス通信のためのコンピュータプログラム製品あって、前記コンピュータプログラム製品は、記録されたプログラムコードを有する非一時的コンピュータ可読媒体を備え、前記プログラムコードは、
第１のスクランブリング識別子（ＩＤ）に少なくとも部分的に基づいて第１の基準信号を生成するためのプログラムコードと、前記第１のスクランブリングＩＤとは異なる第２のスクランブリングＩＤに少なくとも部分的に基づいて第２の基準信号を生成するためのプログラムコードと、
制御チャネルのために前記第１の基準信号を送信するためのプログラムコードと、
データチャネルのために前記第２の基準信号を送信するためのプログラムコードと
を備える、コンピュータプログラム製品。
[Ｃ４９]  ワイヤレス通信のためのコンピュータプログラム製品あって、前記コンピュータプログラム製品は、記録されたプログラムコードを有する非一時的コンピュータ可読媒体を備え、前記プログラムコードは、
基準信号を受信するためのプログラムコードと、
前記基準信号が制御チャネルに関連付けられているかデータチャネルに関連付けられているかを、スクランブリング識別子（ＩＤ）に少なくとも部分的に基づいて判断するためのプログラムコードと
を備える、コンピュータプログラム製品。
[Ｃ５０]  ワイヤレス通信のためのコンピュータプログラム製品あって、前記コンピュータプログラム製品は、記録されたプログラムコードを有する非一時的コンピュータ可読媒体を備え、前記プログラムコードは、
セルから基準信号を受信するためのプログラムコードと、
前記基準信号に関連付けられたチャネルを判断するためのプログラムコードと、ここで、前記チャネルは、制御チャネルまたはデータチャネルである、
前記基準信号についてのスクランブリング識別子（ＩＤ）を、前記判断されたチャネルに基づいて判断するためのプログラムコードと、
前記判断されたスクランブリングＩＤに少なくとも部分的に基づいて、前記判断されたチャネルを処理するためのプログラムコードと
を備える、コンピュータプログラム製品。